(57)【特許請求の範囲】
【請求項１】
複数の竿体が振出形式で連結されかつ前記複数の各竿体内部に釣糸通路が形成されており、竿元側の竿体の周面に釣糸導入孔を有する中通し竿に釣糸を通すための糸通し部材であって、
前記釣糸導入孔に挿入可能な筒状の本体部と、
前記本体部の先端側に設けられ、前記本体部が前記釣糸導入孔に挿入された状態において、前記中通し竿の最も穂先側に位置する竿体の竿元側端部に設けられた被保持部を保持可能な保持部とを備え、
前記竿体の被保持部を、前記保持部に保持させた状態で釣糸挿通操作ができるようにした
ことを特徴とする糸通し部材。
【請求項２】
前記本体部は軸方向に割りが形成されている、請求項１に記載の糸通し部材。
【請求項３】
複数の竿体が振出形式で連結されかつ前記複数の各竿体内部に釣糸通路が形成されており、竿元側の竿体の周面に釣糸導入孔を有する中通し竿に釣糸を通すための糸通し構造であって、
前記中通し竿の最も穂先側に位置する竿体の竿元側端部に設けられた被保持部と、
前記釣糸導入孔に挿入可能な筒状の本体部と、前記本体部の先端側に設けられ、前記本体部が前記釣糸導入孔に挿入された状態において、前記被保持部を保持可能な保持部とを有する糸通し部材と
を備え、
前記竿体の被保持部を、前記糸通し部材の前記保持部に保持させた状態で釣糸挿通操作ができるようにした
ことを特徴とする糸通し構造。
【請求項４】
前記保持部は前記本体部の先端側周面に形成された突起部であり、前記被保持部は前記中通し竿の最も穂先側に位置する竿体の竿元側端部内周面に形成された凹凸部である、請求項３に記載の糸通し構造。
【請求項５】
前記保持部は前記本体部の先端に配置された磁石であり、前記被保持部は前記中通し竿の最も穂先側に位置する竿体の竿元側端部に配置された磁性体である、請求項３に記載の糸通し構造。
【発明の詳細な説明】
【０００１】
【発明の属する技術分野】
本発明は、中通し竿、特に振出形式で連結された中通し竿の内部に釣糸を通すために用いられる糸通し部材及び糸通し構造に関する。
【０００２】
【従来の技術】
従来の中通し竿は、竿体内部に釣糸通路を有する元竿と、元竿の穂先側に連結された中竿と、中竿の穂先側に連結された穂先竿とを有している。この元竿は、竿体外周面に固定されたリールと、リールの穂先側に設けられ釣糸通路内にリールからの釣糸を導入するための釣糸導入孔とを有している。また、穂先竿の穂先側先端にはトップガイドが設けられている。このような中通し竿では、リールからの釣糸は釣糸導入孔から釣糸通路に導入され、順次竿体内を穂先側に導かれて穂先竿のトップガイドから外部に導出される。
【０００３】
この種の中通し竿において、釣糸導入孔から釣糸通路に釣糸を導入して釣糸通路に釣糸を通すために（以下「釣糸挿通操作」という）糸通し具が用いられる。従来の糸通し具は、複数の金属素線をより合わせて形成したワイヤからなる。このワイヤの後端には釣糸を係止するための釣糸係止部が設けられ、またワイヤの先端にはワイヤの素線が広がるのを防止するためのキャップが固定されている。このような糸通し具を用いて釣糸挿通操作をおこなう際には、まず、糸通し具の糸係止部に釣糸を係止して釣糸導入孔よりキャップを挿入する。そして、順次穂先側にワイヤを送って穂先側から導出する。
【０００４】
【発明が解決しようとする課題】
このような釣糸挿通操作において、糸通し具を中通し竿の釣糸導入孔に挿入する場合、中通し竿の穂先側を傾けて、釣糸導入孔内をのぞき込みながら作業を行う場合がある。しかし、振出形式の中通し竿の穂先側を下方に傾けて釣糸挿通操作を行うと、作業中に穂先側の竿体が飛び出してしまう恐れがある。
【０００５】
本発明の課題は、中通し竿の釣糸挿通操作を容易に行うことができる糸通し部材及び糸通し構造を提供することにある。
【０００６】
【課題を解決するための手段】
発明１にかかる糸通し部材は、複数の竿体が振出形式で連結されかつ複数の各竿体内部に釣糸通路が形成されており、竿元側の竿体の周面に釣糸導入孔を有する中通し竿に釣糸を通すための糸通し部材であって、釣糸導入孔に挿入可能な筒状の本体部と、本体部の先端側に設けられ、本体部が前記釣糸導入孔に挿入された状態において、中通し竿の最も穂先側に位置する竿体の竿元側端部に設けられた被保持部を保持可能な保持部とを備え、前記竿体の被保持部を、前記保持部に保持させた状態で釣糸挿通操作ができるようにしたことを特徴とする。
【０００７】
釣糸挿通操作をおこなう場合には、まず、中通し竿の各竿体を順次竿元側の竿体に収納し、最も竿元側の竿体の穂先側に竿元側から２つ目の竿体のみが引き出されて連結されている状態にする。そして、糸通し部材の本体部の先端側を中通し竿の釣糸導入孔に挿入し、竿元側から２つ目の竿体内に収納されている最も穂先側に位置する竿体の竿元側内部に、糸通し部材の本体部の先端が挿入されるようにする。ここで、保持部が最も穂先側に位置する竿体を保持するので、中通し竿の穂先側を下方に向けた状態で糸挿通操作をおこなっても、穂先側の竿体が下方に飛び出してしまうことはない。続いて、ワイヤに釣糸係止部が設けられている周知の糸通し具を、糸通し部材内を通して竿体内部に挿入して竿体の穂先側に導き、釣糸挿通操作を完了する。
【０００８】
発明２にかかる糸通し部材は、発明１の糸通し部材であって、本体部は軸方向に割りが形成されている。
【０００９】
この場合には、本体部に割りが形成されているので、釣糸導入孔に本体部を挿入しやすく、釣糸挿通操作がより容易になる。
【００１０】
発明３にかかる糸通し構造は、複数の竿体が振出形式で連結されかつ複数の各竿体内部に釣糸通路が形成されており、竿元側の竿体の周面に釣糸導入孔を有する中通し竿に釣糸を通すための糸通し構造であって、中通し竿の最も穂先側に位置する竿体の竿元側端部に設けられた被保持部と、糸通し部材とを備え、前記竿体の被保持部を、前記糸通し部材の前記保持部に保持させた状態で釣糸挿通操作ができるようにしたことを特徴とする。そして、この糸通し部材は、釣糸導入孔に挿入可能な筒状の本体部と、本体部の先端側に設けられ、本体部が釣糸導入孔に挿入された状態において、被保持部を保持可能な保持部とを有している。
【００１１】
釣糸挿通操作をおこなう場合には、まず、中通し竿の各竿体を順次竿元側の竿体に収納し、最も竿元側の竿体の穂先側に竿元側から２つ目の竿体のみが引き出されて連結されている状態にする。そして、糸通し部材の本体部の先端側を中通し竿の釣糸導入孔に挿入し、竿元側から２つ目の竿体内に収納されている最も穂先側に位置する竿体の竿元側内部に、糸通し部材の本体部の先端が挿入されるようにする。ここで、保持部が最も穂先側に位置する竿体に設けられた被保持部を保持するので、中通し竿の穂先側を下方に向けた状態で糸挿通操作をおこなっても、穂先側の竿体が下方に飛び出してしまうことはない。続いて、ワイヤに釣糸係止部が設けられている周知の糸通し具を、糸通し部材内を通して竿体内部に挿入して竿体の穂先側に導き、釣糸挿通操作を完了する。
【００１２】
発明４にかかる糸通し構造は、発明３の糸通し構造であって、保持部は糸通し部材の本体部の先端側周面に形成された突起部であり、被保持部は中通し竿の最も穂先側に位置する竿体の竿元側端部内周面に形成された凹凸部である。
【００１３】
この場合には、糸通し部材の突起部が中通し竿の最も穂先側に位置する竿体の竿元側端部の凹凸部に係止されることにより、糸通し部材が最も穂先側に位置する竿体を保持する。
【００１４】
発明５にかかる糸通し構造は、発明３の糸通し構造であって、保持部は糸通し部材の本体部の先端に配置された磁石であり、被保持部は中通し竿の最も穂先側に位置する竿体の竿元側端部に配置された磁性体である。
【００１５】
この場合には、糸通し部材の磁石が中通し竿の最も穂先側に位置する竿体の竿元側端部の磁性体を引きつけることにより、糸通し部材が最も穂先側に位置する竿体を保持する。
【００１６】
【発明の実施の形態】
［第１実施形態］
以下、本発明の第１実施形態について、図面を参照しつつ説明する。
【００１７】
まず、本発明の第１実施形態を採用した糸通し部材を用いて釣糸挿通操作を行う中通し竿について説明する。
【００１８】
この中通し竿は、図１に示すように、元竿１と、元竿１の穂先側に順次連結された第１中竿２，第２中竿３及び穂先竿４とを有している。これら元竿１〜穂先竿４は炭素繊維またはガラス繊維等の強化繊維に合成樹脂を含浸させたプリプレグからなる先細り筒状部材であって、内部にそれぞれ釣糸通路１００（図２参照）を有している。そして、穂先竿４から順次竿元側の竿体内に挿入され収納可能であり、いわゆる振出形式で連結されている。
【００１９】
元竿１の竿元側の外周面にはリール７を脱着自在に装着可能なリールシート６が設けられており、また、穂先側の外周面にはリール７からの釣糸Ｌを釣糸通路１００内に導入するための釣糸導入孔５が形成されている。この釣糸導入孔５の周縁部には釣糸Ｌとの接触から元竿１の竿体を保護するためのセラミックリングＰ（図２参照）がはめ込まれている。
【００２０】
一方、第１中竿２の竿元側端面には軸方向に貫通孔が形成されたゴム製の尻栓８が取り付けられており（図２参照）、第１中竿２内に収納される第２中竿３及び穂先竿４が第１中竿２を通過してさらに竿元側まで挿入されるのを防止している。なお、釣糸Ｌは尻栓８の貫通孔を通過して穂先側に導かれるようになっている。また、穂先竿４の竿元側内周面には周方向に凹凸部４ａが形成されており、穂先側端部にはトップガイド１０が設けられている。
【００２１】
この中通し竿では、リール７からの釣糸Ｌは釣糸導入孔５から釣糸通路１００に導入され、穂先側のトップガイド１０から導出される。
【００２２】
本発明の第１実施形態を採用した糸通し部材２０は、図２に示すように、パイプ状の本体部２１と、本体部２１の先端部分の外周面に形成された複数の突起部２２とを有している。
【００２３】
本体部２１は、屈曲自在なビニル樹脂等の合成樹脂からなる部材であって、先端側ほど小径になるように形成されている。中通し竿の釣糸導入孔５から内部に挿入可能でありかつ先端側が穂先竿４の竿元側端部内の釣糸通路１００内に挿入可能なように、本体部２１の外径は設定されている。また、本体部２１の先端付近の外周面には周方向全体にわたって複数の突起部２２が形成されている。突起部２２は本体部２１と同様の合成樹脂で本体部２１と一体的に形成されている。この突起部２２の先端は本体部２１の後端側にやや傾いてフック状に形成されている。なお、突起部２２を本体部２１と別体のゴム部材等で形成してもよい。
中通し竿の糸通し竿に用いる糸通し具２００は、図２に示すように、線状の本体部２０１と、本体部２０１の先端に設けられたキャップ部２０２と、本体部２０１の後端に設けられ釣糸Ｌを係止可能な釣糸係止部２０３とを有している。
本体部２０１は、複数の金属素線をよって形成されたワイヤまたは合成樹脂で形成された屈曲自在な線状部材である。金属ワイヤから形成される場合、その表面には合成樹脂によって表面コートが施される。また、商品イメージに合わせて様々な色彩や模様が施される。この本体部２０１の外径は穂先竿４内の釣糸通路１００の内径より小さく、穂先竿４内の釣糸通路１００及び糸通し部材２０の本体部２１内を挿通可能になっている。
【００２４】
キャップ部２０２は、金属または合成樹脂からなる蓋付円筒型部材であって、本体部２０１の先端部分を収納するように配置されている。本体部２０１よりやや大径で穂先竿４の内径より小さく、中通し竿の内部の釣糸通路１００を挿通可能なものである。また、釣糸係止部２０３は、本体部２０１より小径のワイヤ等でリング状に形成されており、このリング状の部分に釣糸Ｌを係止可能である。この糸通し部材２０及び糸通し具２００を用いて、以下のように釣糸挿通操作を行う。
【００２５】
図２に示すように、まず、中通し竿の穂先竿４及び第２中竿３を順次第１中竿２内に収納して、元竿１の穂先側に第１中竿２が突出して連結されている状態とする。次に、糸通し部材２０の本体部２１を中通し竿の釣糸導入孔５に挿入し、第１中竿２内に収納されている穂先竿４の竿元側内部に、糸通し部材２０の本体部２１の先端を挿入する。そして、突起部２２を穂先竿４の凹凸部４ａに係止させる。一方で、糸通し具２００の釣糸係止部２０３に釣糸Ｌを係止する。そして、糸通し具２００を糸通し部材２０内を通して挿入して穂先竿４内に挿入し、順次穂先側に導きトップガイド１０から外部に導出する。
【００２６】
このように、釣糸挿通時において、突起部２２が凹凸部４ａに係止され、糸通し部材２０が穂先竿４を保持するので、中通し竿の穂先側を下方に向けた状態で糸挿通操作をおこなっても、穂先側の竿体が下方に飛び出してしまうことはない。この結果、糸通し具２００を用いて釣糸挿通操作を容易におこなうことができる。
【００２７】
［第２実施形態］
以下、本発明の第２実施形態について、図面を参照しつつ説明する。
【００２８】
本発明の第２実施形態を採用した糸通し部材を用いて釣糸挿通操作を行う中通し竿は、第１実施形態と同様に、元竿１と、元竿１の穂先側に順次連結された第１中竿２，第２中竿３及び穂先竿４とを有している。
【００２９】
図３に示すように、第１中竿２の竿元側端面には軸方向に貫通孔が形成されたゴム製の尻栓８が取り付けられており、第１中竿２内に収納される第２中竿３及び穂先竿４が第１中竿２を通過してさらに竿元側まで挿入されるのを防止している。なお、釣糸Ｌは尻栓８の貫通孔を通過して穂先側に導かれるようになっている。また、穂先竿４の穂先側端部にはトップガイド１０が設けられている。
本発明の第２実施形態を採用した糸通し部材３０は、図３に示すように、パイプ状の本体部３１と、本体部３１の先端部分の外周面に配置された弾性部材３２とを有している。
【００３０】
本体部３１は、屈曲自在なビニル樹脂等の合成樹脂からなる部材であって、先端側ほど小径になるように形成されている。中通し竿の釣糸導入孔５から内部に挿入可能なように、本体部３１の外径は設定されている。また、本体部３１には軸方向に割り３１ａが形成されている。一方、本体部３１の先端付近の外周面には筒状の弾性部材３２が配置されている。この弾性部材３２としては、例えば発泡ポリウレタンや天然ゴム，合成ゴム等が例示される。弾性部材３２の外径は穂先竿４の竿元側内径よりやや大径に形成されており、穂先竿４内に挿入されることによって弾性部材３２は自らの弾性によって縮小して穂先竿４内に合致して収納されるようになっている。
【００３１】
なお、その他の構成は第１実施形態と同様であり説明を省略する。
この糸通し部材３０及び糸通し具２００を用いて、以下のように釣糸挿通操作を行う。
【００３２】
図３に示すように、まず、中通し竿の穂先竿４及び第２中竿３を順次第１中竿２内に収納して、元竿１の穂先側に第１中竿２が突出して連結されている状態とする。次に、糸通し部材３０の本体部３１を中通し竿の釣糸導入孔５に挿入し、第１中竿２内に収納されている穂先竿４の竿元側内部に、糸通し部材３０の本体部３１の先端に配置された弾性部材３２を挿入する。そして、弾性部材３２によって穂先竿４を糸通し部材３０に保持する。一方で、糸通し具２００の釣糸係止２０３に釣糸Ｌを係止する。そして、糸通し具２００を糸通し部材３０内を通して挿入して穂先竿４内に挿入し、順次穂先側に導きトップガイド１０から外部に導出する。
【００３３】
このように、釣糸挿通時において、弾性部材３２が穂先竿４を保持するので、中通し竿の穂先側を下方に向けた状態で糸挿通操作をおこなっても、穂先側の竿体が下方に飛び出してしまうことはない。また、糸通し部材３０の本体部３１に割り３１ａが形成されているので、釣糸導入孔に本体部３１を挿入しやすく、釣糸挿通操作がより容易になる。
［第３実施形態］
以下、本発明の第３実施形態について図面を参照しつつ説明する。
【００３４】
本発明の第３実施形態を採用した糸通し部材を用いて釣糸挿通操作を行う中通し竿は、第１実施形態と同様に、元竿１と、元竿１の穂先側に順次連結された第１中竿２，第２中竿３及び穂先竿４とを有している。
【００３５】
図４に示すように、第１中竿２の竿元側端面には軸方向に貫通孔が形成されたゴム製の尻栓８が取り付けられており、第１中竿２内に収納される第２中竿３及び穂先竿４が第１中竿２を通過してさらに竿元側まで挿入されるのを防止している。なお、釣糸Ｌは尻栓８の貫通孔を通過して穂先側に導かれるようになっている。また、穂先竿４の竿元側端部には筒状の磁性体５０が取り付けられており、穂先側端部にはトップガイド１０が設けられている。
【００３６】
本発明の第３実施形態を採用した糸通し部材４０は、図４に示すように、パイプ状の本体部４１と、本体部４１の先端部分に取り付けられたリング状の磁石４２とを有している。
【００３７】
本体部４１は、屈曲自在なビニル樹脂等の合成樹脂からなる部材であって、先端側ほど小径になるように形成されている。中通し竿の釣糸導入孔５から内部に挿入可能なように、本体部４１の外径は設定されている。また、本体部４１には軸方向に割り４１ａが形成されている。
【００３８】
磁石４２はリング状に形成され本体部４１の先端部に取り付けられている。この磁石４２の外径は、図４に示すように、第１中竿２の竿元側の外径よりやや小さく形成されている。必要に応じて、磁石４２の外径を穂先竿４の竿元側内径よりやや小径に形成して、穂先竿４内に挿入可能にしてもよい。
【００３９】
なお、その他の構成は第１実施形態と同様であり説明を省略する。
この糸通し部材４０及び糸通し具２００を用いて、以下のように釣糸挿通操作を行う。
【００４０】
図４に示すように、まず、中通し竿の穂先竿４及び第２中竿３を順次第１中竿２内に収納して、元竿１の穂先側に第１中竿２が突出して連結されている状態とする。次に、糸通し部材４０の本体部４１を中通し竿の釣糸導入孔５に挿入し、第１中竿２内に収納されている穂先竿４の竿元側付近に、糸通し部材４０の本体部４１の先端に配置された磁石４２を近づける。そして、磁石４２によって穂先竿４の磁性体５０を引きつけて、穂先竿４を糸通し部材４０に保持する。一方で、糸通し具２００の釣糸係止２０３に釣糸Ｌを係止する。そして、糸通し具２００を糸通し部材４０内を通して挿入して穂先竿４内に挿入し、順次穂先側に導きトップガイド１０から外部に導出する。
【００４１】
このように、釣糸挿通時において、磁石４２が穂先竿４を保持するので、中通し竿の穂先側を下方に向けた状態で糸挿通操作をおこなっても、穂先側の竿体が下方に飛び出してしまうことはない。また、糸通し部材４０の本体部４１に割り４１ａが形成されているので、釣糸導入孔に本体部４１を挿入しやすく、釣糸挿通操作がより容易になる。
【００４２】
【発明の効果】
本発明にかかる糸通し部材及び糸通し構造によれば、中通し竿を下方に向けたまま釣糸挿通操作をおこなっても穂先側の竿体が飛び出すことがなく、糸通し具を穂先竿に容易に挿入できる。
【図面の簡単な説明】
【図１】本発明の糸通しを用いて釣糸挿通操作を行う中通し竿の全体図。
【図２】本発明の第１実施形態を採用した糸通し部材によって、釣糸挿通操作をおこなう状態を示した図。
【図３】本発明の第２実施形態を採用した糸通し部材によって、釣糸挿通操作をおこなう状態を示した図。
【図４】本発明の第３実施形態を採用した糸通し部材によって、釣糸挿通操作をおこなう状態を示した図。
【符号の説明】
１  元竿
２  第１中竿
３  第２中竿
４  穂先竿
２０，３０，４０  糸通し部材
２１，３１，４１  本体部
２２  突起部
３２  弾性部材
４２  磁石
５０  磁性体
１００  釣糸通路
２００  糸通し具
Ｌ  釣糸
Ｐ  セラミックガイド
【図１】
0004127912.tif 000002
【図２】
0004127912.tif 000003
【図３】
0004127912.tif 000004
【図４】
0004127912.tif 000005